(57)【要約】【課題】給紙トレイ設定情報における用紙情報の設定作業を容易にする。【解決手段】画像形成が行われる転写媒体を供給する転写媒体供給部と、  前記転写媒体供給部に関する供給部設定情報と、前記転写媒体に関する転写媒体情報とを記録する記憶部と、画像形成装置を制御する制御部を備え、制御部は、供給部設定情報に、転写媒体供給部で使用する転写媒体の転写媒体情報を設定可能にし、転写媒体情報が設定された供給部設定情報を記憶部に記録し、供給部設定情報で、設定されている転写媒体情報が変更された場合、転写媒体情報が変更された供給部設定情報に転写媒体情報の履歴情報を設定して記憶部に記録する。【選択図】図１０
2016144908.tif 000002
【特許請求の範囲】
【請求項１】
画像形成装置において、
画像形成が行われる転写媒体を供給する転写媒体供給部と、
前記転写媒体供給部に関する供給部設定情報と、前記転写媒体に関する転写媒体情報とを記録する記憶部と、
当該画像形成装置を制御する制御部と、を備え、
前記制御部は、前記供給部設定情報に、前記転写媒体供給部で使用する前記転写媒体の転写媒体情報を設定可能にし、前記転写媒体情報が設定された前記供給部設定情報を前記記憶部に記録し、前記供給部設定情報で、設定されている前記転写媒体情報が変更された場合、前記転写媒体情報が変更された前記供給部設定情報に前記転写媒体情報の履歴情報を設定して前記記憶部に記録することを特徴とする画像形成装置。
【請求項２】
前記制御部は、前記供給部設定情報に前記転写媒体情報を設定する際に、前記記憶部に記憶されている前記履歴情報を呼び出して設定可能にすることを特徴とする請求項１記載の画像形成装置。
【請求項３】
前記制御部は、前記供給部設定情報に前記転写媒体情報を設定する際に、前記記憶部に記憶されている転写媒体情報を呼び出して設定可能にする機能と、前記記憶部に記憶されている前記履歴情報を呼び出して設定可能にする機能とを併せ持つことを特徴とする請求項１または２に記載の画像形成装置。
【請求項４】
前記制御部は、前記転写媒体情報に、設定に使用した転写媒体供給部の使用実績を記録しておき、前記転写媒体情報を呼び出す際に、前記転写媒体情報の使用トレイ実績を提示することを特徴とする請求項３記載の画像形成装置。
【請求項５】
表示および操作を行う表示操作部を有し、
前記制御部は、前記履歴情報を、前記操作部を通して前記転写媒体情報に登録可能であることを特徴とする１〜４のいずれか１項に記載の画像形成装置。
【請求項６】
表示および操作を行う表示操作部を有し、
前記制御部は、前記履歴情報を前記表示操作部に表示が可能であり、前記履歴情報の表示に際し、呼び出し元の前記転写媒体情報を識別する情報と、前記転写媒体情報の変更の有無を示す情報との一方または両方を併せて表示することを特徴とする請求項１〜５のいずれか１項に記載の画像形成装置。
【請求項７】
画像形成が行われる転写媒体を供給する転写媒体供給部に関する供給部設定情報に、前記転写媒体供給部で使用する転写媒体の前記転写媒体情報を設定して記録するステップと、
前記供給部設定情報における転写媒体情報が変更された場合、転写媒体情報が変更された前記供給部設定情報に前記転写媒体情報の履歴情報を設定して記録するステップと、を有することを特徴とする画像形成方法。
【請求項８】
前記供給部設定情報に前記転写媒体情報を設定する際に、記憶されている前記履歴情報を呼び出して設定可能にするステップを有することを特徴とする請求項７記載の画像形成方法。
【請求項９】
前記供給部設定情報に前記転写媒体情報を設定する際に、記憶されている転写媒体情報を呼び出して設定するステップ、記憶されている前記履歴情報を呼び出して設定するステップと、を選択可能であることを特徴とする請求項７または８に記載の画像形成方法。
【発明の詳細な説明】
【技術分野】
【０００１】
この発明は、転写媒体に画像を印刷する画像形成装置および画像形成方法に関するものである。
【背景技術】
【０００２】
画像形成装置では、用紙を給紙する給紙トレイの設定情報に紙種情報を登録しておき、画像形成における印刷条件に従って、給紙トレイから給紙される所定紙種の用紙に画像を印刷している。
従来、給紙トレイの設定情報に紙種情報を設定する場合、予め、頻繁に使用する紙種情報を用紙プロファイルとして登録しておき、設定に際し、用紙プロファイルから情報を呼び出すことで紙種情報を設定することを容易にしている。但し、用紙プロファイルに登録できる登録数は多数あり、類似した用紙プロファイルの中からどれを選択するかが容易ではなく、作業が面倒であるという問題がある。
これに対し、特許文献１では、用紙プロファイルに、使用した給紙トレイの情報を記憶しておき、用紙プロファイルを表示した際に、使用トレイの情報を表示することで、用紙プロファイルと使用トレイの関連づけを判断しやすくして、紙種情報の選択をより容易にした画像形成装置が提案されている。
【先行技術文献】
【特許文献】
【０００３】
【特許文献１】特開２０１３−５２５９７号公報
【発明の概要】
【発明が解決しようとする課題】
【０００４】
しかし、特許文献１の方法では、用紙プロファイルから呼び出して給紙トレイの設定に反映させた後に、給紙トレイの設定情報のうち、紙種情報を手動変更した場合に、用紙プロファイルには給紙トレイの情報が残らないため、その用紙プロファイルを使用する場合、再度、設定し直す必要がある。
また、割り込みや優先出力で出力中ジョブを中断し、紙種が異なるジョブを印刷した場合に、中断したジョブを再開する際、再度出力するジョブで使用する紙種情報へ変更する手間がかかる。用紙プロファイルに設定されていない場合は再登録が必要であり、登録されている場合でも多数の情報から合致する情報を探すのに時間がかかる。
また、上記のような事情がない場合でも、給紙トレイの設定情報に紙種情報を設定する際に、用紙プロファイルの一覧に使用トレイの関連づけを表示しても、多数の用紙プロファイルの中から所望の用紙プロファイルを選ぶ作業は、依然として不便であり、選択しづらい。
【０００５】
本願発明は、上記事情を背景としてなされたものであり、給紙トレイの設定情報に、紙種情報の再設定を容易にする画像形成装置および画像形成方法を提供することを目的とする。
【課題を解決するための手段】
【０００６】
すなわち、本発明の画像形成装置のうち、第１の本発明は、
画像形成装置において、
画像形成が行われる転写媒体を供給する転写媒体供給部と、
前記転写媒体供給部に関する供給部設定情報と、前記転写媒体に関する転写媒体情報とを記録する記憶部と、
当該画像形成装置を制御する制御部と、を備え、
前記制御部は、前記供給部設定情報に、前記転写媒体供給部で使用する転写媒体の前記転写媒体情報を設定可能にし、前記転写媒体情報が設定された前記供給部設定情報を前記記憶部に記録し、前記供給部設定情報で、設定されている前記転写媒体情報が変更された場合、前記転写媒体情報が変更された前記供給部設定情報に前記転写媒体情報の履歴情報を設定して前記記憶部に記録することを特徴とする。
【０００７】
第２の本発明の画像形成装置は、前記本発明において、前記制御部は、前記供給部設定情報に前記転写媒体情報を設定する際に、前記記憶部に記憶されている前記履歴情報を呼び出して設定可能にすることを特徴とする。
【０００８】
第３の本発明の画像形成装置は、前記本発明において、前記制御部は、前記供給部設定情報に前記転写媒体情報を設定する際に、前記記憶部に記憶されている転写媒体情報を呼び出して設定可能にする機能と、前記記憶部に記憶されている前記履歴情報を呼び出して設定可能にする機能とを併せ持つことを特徴とする。
【０００９】
第４の本発明の画像形成装置は、前記本発明において、前記制御部は、前記転写媒体情報に、設定に使用した転写媒体供給部の使用実績を記録しておき、前記転写媒体情報を呼び出す際に、前記転写媒体情報の使用トレイ実績を提示することを特徴とする。
【００１０】
第５の本発明の画像形成装置は、前記本発明において、表示および操作を行う表示操作部を有し、前記制御部は、前記履歴情報を、前記操作部を通して前記転写媒体情報に登録可能であることを特徴とする。
【００１１】
第６の本発明の画像形成装置は、前記本発明において、表示および操作を行う表示操作部を有し、前記制御部は、前記履歴情報を前記表示操作部に表示が可能であり、前記履歴情報の表示に際し、呼び出し元の前記転写媒体情報を識別する情報と、前記転写媒体情報の変更の有無を示す情報との一方または両方を併せて表示することを特徴とする。
【００１２】
第７の本発明の画像形成方法は、画像形成が行われる転写媒体を供給する転写媒体供給部に関する供給部設定情報に、前記転写媒体供給部で使用する転写媒体の前記転写媒体情報を設定して記録するステップと、
前記供給部設定情報における転写媒体情報が変更された場合、転写媒体情報が変更された前記供給部設定情報に前記転写媒体情報の履歴情報を設定して記録するステップと、を有することを特徴とする。
【００１３】
第８の本発明の画像形成方法は、前記本発明において、前記供給部設定情報に前記転写媒体情報を設定する際に、記憶されている前記履歴情報を呼び出して設定可能にするステップを有することを特徴とする。
【００１４】
第８の本発明の画像形成方法は、前記本発明において、前記供給部設定情報に前記転写媒体情報を設定する際に、記憶されている転写媒体情報を呼び出して設定するステップ、記憶されている前記履歴情報を呼び出して設定するステップと、を選択可能であることを特徴とする。
【発明の効果】
【００１５】
本発明によれば  給紙トレイの設定情報に、紙種情報の再設定を行うことを容易にすることができる。
【図面の簡単な説明】
【００１６】
【図１】本発明の一実施形態の画像形成装置を示す図である。
【図２】同じく、機能ブロックを示す図である。
【図３】同じく、記憶部に記憶されたデータ構造を示す図である。
【図４】同じく、給紙トレイ設定画面を示す図である。
【図５】同じく、給紙トレイ設定画面で履歴情報を呼び出したトレイ紙種履歴画面を示す図である。
【図６】同じく、給紙トレイ設定画面で呼び出した全用紙プロファイルに関する用紙プロファイル呼出し画面を示す図である。
【図７】同じく、給紙トレイ設定画面で呼び出した、特定トレイの使用歴における用紙プロファイル呼出し画面を示す図である。
【図８】同じく、トレイ紙種情報の履歴を登録する手順を示すフローチャートである。
【図９】同じく、トレイ設定情報の紙種情報に関する制御手順を示すフローチャートである。
【図１０】同じく、トレイ設定情報の用紙プロファイル呼び出しに関する制御手順を示すフローチャートである。
【図１１】従来の給紙トレイ設定情報、用紙プロファイル情報、紙種情報のデータ構成を示す図である。
【図１２】従来の給紙トレイ設定画面を示す図である。
【図１３】従来の給紙トレイ設定画面で呼び出した用紙プロファイル呼出し画面を示す図である。
【発明を実施するための形態】
【００１７】
画像形成装置１は、図１に示すように、画像形成装置本体１０の上流側に、大容量トレイ４０が接続されて構成されており、大容量トレイ４０は、複数の給紙トレイ４０Ａ〜４０Ｆを有している。画像形成装置本体１０の搬送方向下流側には、後処理装置３０が接続されている。なお、画像形成装置１に後処理装置が接続された形態であってもよく、大容量トレイ４０を画像形成装置１に含まないものであってもよい。
【００１８】
画像形成装置本体１０内では、画像形成部１５を備えており、画像形成部１５では、感光体１５ａを有し、感光体１５ａの周線部に帯電器、ＬＤからなる書き込み部や現像ユニットが配設されている。帯電器によって帯電した感光体１５ａ表面は、画像メモリなどに記録された原稿の画像情報に基づいて像露光が行われ、感光体１５ａ表面には潜像が形成される。該潜像は現像ユニットによって現像がなされてトナー像となる。トナー像は、搬送路１４で搬送される用紙に転写される。転写された用紙は、定着器１６によって加熱定着され、後処理装置３０に排紙される。画像形成装置本体１０の下部側には、給紙トレイ４Ａ、４Ｂが設けられている。給紙トレイ４Ａ、４Ｂ、４０Ａ〜４０Ｆには、それぞれ用紙が収納される。給紙トレイ４Ａ、４Ｂ、４０Ａ〜４０Ｆは、本発明の転写媒体供給部に相当する。用紙は、本発明の転写媒体に相当する。転写媒体としては紙に限定されるものではなく、シート状のものに限定されるものではない。
また、画像形成装置本体１０の上部側には、原稿を自動的に送るＡＤＦ１３（auto document feeder）が設置されており、原稿の読み取りが可能になっている。
【００１９】
図２は、画像形成装置１の主要な機能ブロックを示している。
制御部１００は、ＣＰＵやＣＰＵに所定の動作を実行させるプログラムなどによって構成される。制御部１００は、画像形成装置１全体を制御する。
制御部１００には、前記した画像形成部１５が制御可能に接続されており、制御部１００は、画像形成部１５における画像形成を制御する。
【００２０】
制御部１００には、記憶部１０１が制御可能に接続されている。記憶部１０１には、不揮発メモリや画像メモリなどのＲＡＭ、ＲＯＭなどで構成されており、プログラムや画像データ、動作制御パラメータや給紙トレイ設定情報、用紙情報などが格納される。
記憶部１０１のデータは、制御部１００により読み込み可能であり、不揮発メモリ、ＲＡＭなどでは制御部１００による書き込みが可能である。給紙トレイ設定情報は、本発明の供給部設定情報に相当し、用紙情報は、本発明の転写媒体情報に相当する。
【００２１】
制御部１００には、給紙部１２０が制御可能に接続されている。給紙部１２０は、給紙トレイ４Ａ、４Ｂ、４０Ａ〜４０Ｆおよび給紙トレイから用紙を給紙する給紙ローラ、給紙駆動モータなどにより構成される。
制御部１００には、搬送部１３０が制御可能に接続されている。搬送部１３０は、搬送路１４や搬送ローラ、搬送駆動モータなどによって構成されている。
制御部１００には、表示操作部１４０が制御可能に接続されており、制御部１００では表示操作部１４０への情報や操作画面の表示、表示操作部１４０による操作入力の受け付けなどを制御する。
【００２２】
図３は、記憶部１０１に記憶されている設定情報の一部におけるデータ構造を示すものである。ここで示される情報としては、給紙トレイ設定情報データ、紙種情報履歴情報、給紙トレイ設定紙種情報、用紙プロファイル、紙種情報データが示されている。なお、給紙トレイ設定紙種情報には、用紙プロファイルの情報が記録されており、用紙プロファイルには、それぞれ紙種情報データが関連付けて記録されている。紙種情報データには、給紙トレイの使用実績が記憶されている。これにより用紙プロファイルと給紙トレイの使用実績とは、関連付けられた記録がなされている。
さらに、給紙トレイ設定情報データには、各種設定事項が記録されているとともに、使用された紙種の履歴情報、用紙プロファイル番号、元プロファイルからの紙種変更の有無情報の項目が設けられている。用紙プロファイル番号は、転写媒体情報を識別する情報に相当する。
なお、なお、本発明としては、給紙トレイ設定情報には、履歴情報が直接記録されていてもよく、また、図３に示すように、給紙トレイ設定情報と紙種情報履歴と関連付けられて記録されているものであってもよい。
【００２３】
図４は、表示操作部１４０に表示されたトレイ設定画面１４００を示すものである。
画面の左側には、給紙トレイ選択ボタン群１４０１が設けられており、所望のトレイＮｏ．のボタンを押下することで、トレイの選択を行うことができる。選択されたトレイのボタンは反転表示される。この例では、トレイＮｏ．２が選択されて反転表示されている。画面の右側の主要部には、トレイを選択することで、そのトレイに対応するトレイの設定内容がトレイ設定内容１４０２に表示される。設定変更ボタン１４０３を押下することで、トレイ設定内容１４０２の各項目を変更することができる。設定変更後、設定登録ボタン１４０４を押下することで、設定内容が記憶部１０１に上書き登録される。
【００２４】
トレイ設定内容１４０２の画面下側には、履歴呼出しボタン１４０６と設定呼出しボタン１４０７が押下可能に表示されている。閉じるボタン１４０８を押下すると、トレイ設定画面１４００が閉じられる。
【００２５】
履歴呼出しボタン１４０６を押下した際には、画面が遷移し、図５に示すトレイ紙種履歴画面１４１０が表示される。
トレイ紙種履歴画面１４１０では、履歴に応じた紙種情報欄１４１１が履歴順に表示される。紙種情報欄１４１１では、履歴毎に、用紙プロファイル名、用紙サイズ、用紙種類、坪量、調整の有無、プロファイルＮｏ、給紙トレイ設定情報における紙種の変更の有無が表示される。紙種情報欄１４１１でいずれかの用紙プロファイルを選択することができる。選択された用紙プロファイルは反転表示される。この例では、Ｎｏ．００５の用紙プロファイルが選択されている。用紙プロファイルが選択された状態で、設定登録ボタン１４１２を押下すると、選択された履歴情報が用紙プロファイルに登録される。これにより、登録し忘れたような紙種情報を用紙プロファイルに登録することができる。
【００２６】
また、用紙プロファイルが選択された状態で、詳細確認ボタン１４１３を押下すれば、用紙プロファイルの詳細が別画面に表示され、削除ボタン１４１４が押下されれば、その用紙プロファイルが紙種履歴から削除される。
用紙プロファイルが選択された状態で、ＯＫボタン１４１５を押下すれば、その紙種情報の内容をそのトレイの紙種情報に設定することができ、トレイ設定内容１４０２に用紙プロファイルの内容が表示される。キャンセルボタン１４１６が押下されれば、紙種情報の選択変更がなされないまま、トレイ設定画面１４００の表示に戻る。
【００２７】
図１１は、従来技術におけるデータ構造を示す図である。
このデータ構造では、給紙トレイ設定紙種情報、用紙プロファイル、紙種情報データを有しており、給紙トレイ設定紙種情報に用紙プロファイルが関連付けられており、用紙プロファイルに紙種情報データが関連付けられている。
【００２８】
図１２は、従来技術におけるデータ構造に基づくトレイ設定画面１５００を示すものである。
画面の左側には、給紙トレイ選択ボタン群１５０１が設けられており、所望のトレイＮｏ．のボタンを押下することで、トレイの選択を行うことができる。選択されたトレイのボタンは反転表示される。この例では、トレイＮｏ．２が選択されて反転表示されている。画面の右側の主要部には、トレイを選択することでトレイの設定内容が、トレイ設定内容１５０２に表示される。設定変更ボタン１５０３を押下することで、トレイ設定内容の各項目を変更することができる。設定変更後、設定登録ボタン１５０４を押下することで、設定内容が登録される。
【００２９】
トレイ設定内容１５０２の画面下側には、設定呼出しボタン１５０６が押下可能に表示されている。閉じるボタン１５０８を押下すると、トレイ設定画面が閉じられる。
【００３０】
設定呼出しボタン１５０６を押下した際には、画面が遷移し、図１３に示すように、用紙プロファイル呼出し画面１５１０が表示される。
用紙プロファイル呼出し画面１５１０では、用紙プロファイル一覧１５１１が表示される。用紙プロファイル一覧１５１１では、用紙プロファイル名、用紙サイズ、用紙種類、坪量、調整の有無が表示される。用紙プロファイル一覧１５１１でいずれかの用紙プロファイルを選択することができる。選択された用紙プロファイルは反転表示される。この例では、Ｎｏ．００３の用紙プロファイルが選択されている。選択位置は、アップキー１５１２、ダウンキー１５１３で変更することができる。
【００３１】
用紙プロファイルが選択された状態で、詳細確認ボタン１５１４を押下すれば、用紙プロファイルの詳細が別画面に表示され、削除ボタン１５１５が押下されれば、その用紙プロファイルが紙種履歴から削除される。
用紙プロファイルが選択された状態で、ＯＫボタン１５１８を押下すれば、その用紙プロファイルをそのトレイの紙種情報に設定することができ、トレイ設定内容１５０２に用紙プロファイルの内容が表示される。キャンセルボタン１５１９が押下されれば、用紙プロファイルの選択変更がなされないまま、トレイ設定画面１５００の表示に戻る。
【００３２】
図６、７は、トレイ設定画面１４００で設定呼出しボタン１４０７を押下した際に画面が遷移して表示される用紙プロファイル呼出し画面１４２０を示すものである。
用紙プロファイル呼出し画面１４２０では、「全てのプロファイルを表示」チェック欄１４２１と「現在のトレイで使用実績のあるプロファイルのみ表示」チェック欄１４２２とを有しており、いずれかのみをチェックすることができる。「全てのプロファイルを表示」チェック欄１４２１がチェックされていれば、全ての用紙プロファイルについて、用紙プロファイル一覧１４２３に表示され、「現在のトレイで使用実績のあるプロファイルのみ表示」チェック欄１４２２がチェックされていれば、現在のトレイで使用実績のあるプロファイルのみが用紙プロファイル一覧１４２３に表示される。
【００３３】
図６は、「全てのプロファイルを表示」チェック欄１４２１がチェックされて、全ての用紙プロファイルについて、用紙プロファイル一覧１４２３に表示された用紙プロファイル呼出し画面１４２０を表示するものである。図７は、「現在のトレイで使用実績のあるプロファイルのみ表示」チェック欄１４２２がチェックされて、現在のトレイで使用実績のあるプロファイルのみが用紙プロファイル一覧１４２３に表示される。
【００３４】
図６、７の用紙プロファイル呼出し画面１４２０に表示された用紙プロファイル一覧１４２３では、用紙プロファイル名、用紙サイズ、用紙種類、坪量、調整の有無、使用トレイ履歴１４２３Ａが表示される。使用トレイ履歴１４２３Ａでは、図６の用紙プロファイル呼出し画面１４２０では、各用紙プロファイル毎に、使用されたトレイ番号が太字で表示されている。一方、図７の用紙プロファイル呼出し画面１４２０では、使用された一つのトレイ番号（この例ではトレイＮｏ．２）が太字で表示されている。
【００３５】
用紙プロファイル一覧１４２３で、いずれかの用紙プロファイルを選択することができる。選択された用紙プロファイルは反転表示される。この例では、Ｎｏ．１０の用紙プロファイルが選択されている。用紙プロファイルが選択された状態で、詳細確認ボタン１４２６を押下すれば、用紙プロファイルの詳細が別画面に表示され、削除ボタン１４２７が押下されれば、その用紙プロファイルが紙種履歴から削除される。
用紙プロファイルが選択された状態で、ＯＫボタン１４２８を押下すれば、その用紙プロファイルをそのトレイの紙種情報に設定することができ、トレイ設定内容１４０２に用紙プロファイルの内容が表示される。キャンセルボタン１４２９が押下されれば、用紙プロファイルの選択変更がなされないまま、トレイ設定画面１４００の表示に戻る。
【００３６】
次に、トレイ設定情報の紙種情報履歴の登録手順を図８のフローチャートに基づいて説明する。なお、以下の手順は、いずれも制御部の制御により実行される。
先ず給紙開始を待ち（ステップｓ１）、給紙が開始されると（ステップｓ１、Ｙｅｓ）、給紙トレイの設定情報の確認を行う（ステップｓ２）。次いで、給紙トレイの紙種情報は履歴情報の先頭（最新）と同一かの判定を行う（ステップｓ３）。履歴情報は、Ｎｏ．１から最新の紙種情報を履歴として登録するため、トレイの紙種情報を登録するかの判断では、先頭情報と比較する。紙種情報が履歴情報の先頭（最新）と同一であれば（ステップｓ３、Ｙｅｓ）、処理を終了する。
同一でない場合（ステップｓ３、Ｎｏ）、給紙したトレイの履歴情報の先頭にトレイの紙種情報を登録する。履歴情報は、Ｎｏ．１から最新の紙種情報を履歴として登録する。登録数（例：１０個）を超えた場合は、古い情報から削除され、Ｎｏ．９→Ｎｏ．１０、Ｎｏ．８→Ｎｏ．９…Ｎｏ．１→Ｎｏ．２とし、Ｎｏ．１に最新を登録する。
【００３７】
次に、給紙トレイの設定情報における紙種情報制御の手順を図９のフローチャートに基づいて説明する。なお、以下の手順は、いずれも制御部の制御により実行される。
トレイ設定画面が開いた時点で手順をスタートし、変更トレイが選択されることにより（ステップｓ１０）、履歴読出し（呼出し）ボタンがＯｎされたかの判定を行う（ステップｓ１１）。ボタンがＯｎされていなければ（ステップｓ１１、Ｎｏ）、設定呼び出しがＯｎされたものとして、図１０のフローチャートのＮｏ．１の手順に進む（ステップｓ２０）。
履歴読出し（呼出し）ボタンがＯｎされていれば（ステップｓ１１、Ｙｅｓ）、選択トレイの履歴情報を呼出しする（ステップｓ１２）。呼び出し後、履歴情報を操作表示部１４０に一覧表示し（ステップｓ１３）、履歴ファイルの選択を可能にし、操作入力を受け付ける（ステップｓ１４）。操作入力受付後、設定登録ボタンがＯｎされたか判定する（ステップｓ１５）。設定登録ボタンがＯｎされていれば（ステップｓ１５、Ｙｅｓ）、用紙プロファイルへ選択履歴情報を登録し（ステップｓ１６）、手順を終了する。
【００３８】
設定登録ボタンがＯｎされていなければ（ステップｓ１５、Ｎｏ）、ＯＫボタンがＯｎされたか判定する（ステップｓ１７）。ＯＫボタンがＯｎされていれば（ステップｓ１７、Ｙｅｓ）、選択履歴情報を、選択したトレイの紙種情報へ記憶し（ステップｓ１８）、手順を終了する。
ＯＫボタンがＯｎされていなければ（ステップｓ１７、Ｎｏ）、キャンセルボタンがＯｎされたかを判定する（ステップｓ１９）。キャンセルボタンがＯｎされていれば（ステップｓ１９、Ｙｅｓ）、手順を終了する。キャンセルボタンがＯｎされていなければ（ステップｓ１９、Ｎｏ）、ステップｓ１５に戻り、設定登録ボタンＯｎの判定を繰り返す。
【００３９】
次に、設定呼び出しがＯｎされた場合の手順を、図１０のフローチャートに基づいて説明する。なお、以下の手順は、いずれも制御部の制御により実行される。
先ず、現在のトレイの実績プロファイルの表示ボタン（チェック）がＯｎであるか判定される（ステップｓ２０）。表示ボタンＯｎであれば（ステップｓ２０、Ｙｅｓ）、選択トレイの使用実績のある用紙プロファイルを呼び出す（ステップｓ２１）。表示ボタンがＯｎでなければ、全ての用紙プロファイルの表示ボタンがＯｎであるものとして、全ての用紙プロファイルを呼び出す（ステップｓ２２）。
【００４０】
ステップｓ２１またはステップｓ２２の後、用紙プロファイル一覧を操作表示部１４０に一覧表示する（ステップｓ２３）。操作者の用紙プロファイルの選択（ステップｓ２４）がなされ、ＯＫボタンがＯｎされたかの判定を行う（ステップｓ２５）。ＯＫボタンがＯｎされていれば（ステップｓ２５、Ｙｅｓ）、選択用紙プロファイルを選択したトレイの紙種情報へ記憶し（ステップｓ２６）、図９のＮｏ．２の手順に移行する。ＯＫボタンがＯｎされていなければ（ステップｓ２５、Ｎｏ）、キャンセルボタンがＯｎされた判定する（ステップｓ２７）。キャンセルボタンがＯｎされていれば（ステップｓ２７、Ｙｅｓ）、図９のＮｏ．２の手順に移行し、キャンセルボタンがＯｎされていなければ（ステップｓ２７、Ｎｏ）、ステップｓ２５に戻り、ＯＫボタンがＯｎされたかの判定を繰り返す。
【００４１】
以上、本発明について上記実施形態に基づいて説明を行ったが、本発明の範囲を逸脱しない限りは適宜の変更が可能である。
【符号の説明】
【００４２】
１          画像形成装置
４Ａ、４Ｂ  給紙トレイ
１０        画像形成装置本体
１４        搬送路
１５        画像形成部
３０        後処理装置
４０        大容量トレイ
４０Ａ〜４０Ｆ  給紙トレイ
１００      制御部
１０１      記憶部
１２０      給紙部
１３０      搬送部
１４０      操作表示部
１４００      トレイ設定画面
１４０６      履歴呼び出しボタン
１４０７      設定呼び出しボタン
１４１０      トレイ紙種履歴画面
１４２０      用紙プロファイル呼出し画面
【図１】
2016144908.tif 000003
【図２】
2016144908.tif 000004
【図３】
2016144908.tif 000005
【図４】
2016144908.tif 000006
【図５】
2016144908.tif 000007
【図６】
2016144908.tif 000008
【図７】
2016144908.tif 000009
【図８】
2016144908.tif 000010
【図９】
2016144908.tif 000011
【図１０】
2016144908.tif 000012
【図１１】
2016144908.tif 000013
【図１２】
2016144908.tif 000014
【図１３】
2016144908.tif 000015